(57)【要約】【課題】  状況に応じて最適な応答を選択することができる無線タグ、無線タグリーダ装置、無線タグ読出方法および無線タグ通信システムを提供する。【解決手段】  リーダ２は、リーダ２の識別子や属性情報などの情報である選択符号を含む情報取得要求を送信する。タグ１は、情報取得要求に含まれる選択符号と選択基準記憶部１２が記憶する選択基準符号とを比較する。選択符号と選択基準符号が一致した場合に、タグ制御部１３は、タグデータ記憶部１１に記憶されたタグデータを出力し、リーダ２に送信する。選択符号と選択基準符号が一致しない場合、タグ制御部１３は、エラー情報を出力し、リーダ２に送信する。【選択図】  図１
2006195897.tif 000002
【特許請求の範囲】
【請求項１】
識別情報としてのタグデータを記憶するタグデータ記憶手段を備え、自身の属性を示す選択符号を含む情報取得要求を送信するＩＣタグリーダからの情報取得要求に応じて前記タグデータを含む応答情報でＩＣタグリーダに応答する前記ＩＣタグであって、
選択符号に応じた応答動作の基準を表す情報を記憶する選択基準記憶手段と、
前記選択基準記憶手段に記憶されている応答動作の基準を表す情報に基づいてＩＣタグリーダに応答する制御を行うタグ制御手段と
を備えたことを特徴とするＩＣタグ。
【請求項２】
選択基準記憶手段は、応答動作の基準を表す情報として、情報取得要求に対して応答するか否かを決めるための選択基準符号を記憶し、
タグ制御手段は、ＩＣタグリーダから受信した選択符号と前記選択基準符号とを比較し、前記選択符号と前記選択基準符号とが一致した場合に、タグデータ記憶手段に記憶されているタグデータを応答情報とする
請求項１に記載のＩＣタグ。
【請求項３】
選択基準記憶手段は、応答動作の基準を表す情報として、選択符号に応じた応答情報を特定するためのルールを記憶し、
タグ制御手段は、ＩＣタグリーダから受信した選択符号と前記ルールとに基づいて応答情報を特定する
請求項１に記載のＩＣタグ。
【請求項４】
選択基準記憶手段は、ルールとして、選択符号とタグデータの格納場所を示すタグデータアドレスとの対応情報を記憶し、
タグ制御手段は、ＩＣタグリーダによって送信された選択符号に基づいてタグデータアドレスを特定し、特定したタグデータアドレスが示す格納場所に格納されているタグデータを応答情報とする
請求項３に記載のＩＣタグ。
【請求項５】
選択基準記憶手段は、ルールとして、選択符号およびタグデータの値を引数とする関数である応答決定関数を記憶し、
タグ制御手段は、応答決定関数の演算結果に基づいて応答情報を特定する
請求項３に記載のＩＣタグ。
【請求項６】
タグ制御手段は、選択基準記憶手段を書き換えるための選択基準更新データを含む情報取得要求を受信した場合に、選択基準更新データで選択基準記憶手段の内容を書き換える
請求項１に記載のＩＣタグ。
【請求項７】
識別情報としてのタグデータと、選択符号に応じた応答動作の基準を表す情報とを記憶するＩＣタグと通信を行うＩＣタグリーダであって、
前記ＩＣタグと無線による通信を行うリーダ通信処理手段と、
自身の属性を示す選択符号を記憶する選択符号記憶手段と、
前記選択符号記憶手段が記憶する選択符号を含む情報取得要求を送信するリーダ制御手段と
を備えたことを特徴とするＩＣタグリーダ。
【請求項８】
ＩＣタグに記憶されている応答動作の基準を表す情報を書き換えるための選択基準更新データを記憶する選択基準更新データ記憶手段を備え、
リーダ制御手段は、前記選択基準更新データを含む情報取得要求を送信する
請求項７に記載のＩＣタグリーダ。
【請求項９】
情報取得要求を送信するＩＣタグリーダと、識別情報としてのタグデータを記憶するタグデータ記憶手段を備え、前記ＩＣタグリーダからの情報取得要求に応じて前記タグデータを含む応答情報でＩＣタグリーダに応答するＩＣタグとを含むＩＣタグ通信システムであって、
前記ＩＣタグは、
選択符号に応じた応答動作の基準を表す情報を記憶する選択基準記憶手段と、
前記選択基準記憶手段に記憶されている応答動作の基準を表す情報に基づいてＩＣタグリーダに応答する制御を行うタグ制御手段とを備え、
前記ＩＣタグリーダは、
前記ＩＣタグと無線による通信を行うリーダ通信処理手段と、
自身の属性を示す選択符号を記憶する選択符号記憶手段と、
前記選択符号記憶手段が記憶する選択符号を含む情報取得要求を送信するリーダ制御手段と
を備えたことを特徴とするＩＣタグ通信システム。
【請求項１０】
ＩＣタグリーダが情報取得要求を送信し、識別情報としてのタグデータを記憶するＩＣタグから情報取得要求に応じた応答情報を受信するＩＣタグ読出方法であって、
前記ＩＣタグリーダは、
自身の属性を示す選択符号を記憶し、
前記選択符号を含む情報取得要求を送信し、
前記ＩＣタグは、
選択符号に応じた応答動作の基準を表す情報を記憶し、
前記応答動作の基準を表す情報に基づいて応答する制御を行う
ことを特徴とするＩＣタグ読出方法。
【発明の詳細な説明】
【技術分野】
【０００１】
本発明は、無線通信が可能な無線タグ、無線タグリーダ装置、無線タグ読出方法および無線タグ通信システムに関する。
【背景技術】
【０００２】
近年、情報通信技術の発達に伴い、メモリ付き集積回路を有する「ＩＣタグ」（一般に、「非接触データキャリア」、「無線ＩＣタグ」、「非接触ＩＣ」、「非接触ＩＣラベル」、「非接触ＩＣタグ」、「ＲＦＩＤ」等と表現される場合もある。）を物品に実装し、「ＩＣタグ」に各種の情報を記録して、商品情報表示や物流の合理化あるいは物品の管理が行われるようになってきている。「ＩＣタグ」は、「ＩＣタグ」が有するメモリに記憶された個体識別符号などの情報を読み取るＩＣタグリーダ装置との間で無線通信による通信を行う。以下、ＩＣタグを無線タグと表記する。
【０００３】
無線タグは、無線タグリーダ装置から質問信号を受信すると、個体識別符号を格納した応答信号を返信する。複数の無線タグリーダ装置が存在する場合、無線タグは、どの無線タグリーダ装置に対しても同じ応答信号を返信する。そのため、例えば、スーパーマーケットやコンビニエンスストア等の店舗における商品管理に関しては、顧客が商品を購入済みであるか否か、また無線タグリーダ装置の設置位置が店舗内か店舗外か、などの条件によって無線タグリーダ装置に読み取られる情報を変えることができず、情報保護の観点から問題となる。
【０００４】
特許文献１には、無線タグが、個体識別符号とともに、例えば１バイトのデータである応答信号送信条件情報を記憶し、無線タグリーダ装置が、同じく１バイトのデータである応答信号送信条件を含む質問信号を送信する無線タグ通信システムについて記載されている。無線タグは、無線タグリーダ装置から送信された応答信号送信条件と応答信号送信条件情報とを比較し、一致した場合に、個体識別符号を含む応答信号を返信する。
【０００５】
【特許文献１】特開２００２−３８５７４号公報（段落００３７−００３８）
【発明の開示】
【発明が解決しようとする課題】
【０００６】
しかし、特許文献１に記載された方式では、応答信号送信条件と応答信号送信条件情報とが一致しない場合、無線タグは応答信号を返信しない。よって、情報保護は可能であるが、無線タグ自体の存在が認識されたか否かが不明である。
【０００７】
また、無線タグが返信する応答信号は常に個体識別符号であることから、応答信号の内容を状況に応じて変更するということはできない。従って、ある目的のためにある情報を応答信号として送信させ、別の目的のために別の情報を応答信号として送信させる、ということができない。
【０００８】
そこで、本発明は、状況に応じて最適な応答を選択することができる無線タグ、無線タグリーダ装置、無線タグ読出方法および無線タグ通信システムを提供することを目的とする。
【課題を解決するための手段】
【０００９】
本発明によるＩＣタグは、識別情報としてのタグデータを記憶するタグデータ記憶手段を備え、自身の属性を示す選択符号を含む情報取得要求を送信するＩＣタグリーダからの情報取得要求に応じてタグデータを含む応答情報でＩＣタグリーダに応答するＩＣタグであって、選択符号に応じた応答動作の基準を表す情報を記憶する選択基準記憶手段と、選択基準記憶手段に記憶されている応答動作の基準を表す情報に基づいてＩＣタグリーダに応答する制御を行うタグ制御手段とを備えたことを特徴とする。
【００１０】
選択基準記憶手段は、応答動作の基準を表す情報として、情報取得要求に対して応答するか否かを決めるための選択基準符号を記憶し、タグ制御手段は、ＩＣタグリーダから受信した選択符号と選択基準符号とを比較し、選択符号と選択基準符号とが一致した場合に、タグデータ記憶手段に記憶されているタグデータを応答情報としてもよい。そのような構成によれば、選択符号に基づいて応答情報を送信するか否かを選択させることができる。
【００１１】
選択基準記憶手段は、応答動作の基準を表す情報として、選択符号に応じた応答情報を特定するためのルールを記憶し、タグ制御手段は、ＩＣタグリーダから受信した選択符号とルールとに基づいて応答情報を特定してもよい。そのような構成によれば、選択符号に基づいて異なる応答情報を送信させることができる。
【００１２】
選択基準記憶手段は、ルールとして、選択符号とタグデータの格納場所を示すタグデータアドレスとの対応情報を記憶し、タグ制御手段は、ＩＣタグリーダによって送信された選択符号に基づいてタグデータアドレスを特定し、特定したタグデータアドレスが示す格納場所に格納されているタグデータを応答情報としてもよい。
【００１３】
選択基準記憶手段は、ルールとして、選択符号およびタグデータの値を引数とする関数である応答決定関数を記憶し、タグ制御手段は、応答決定関数の演算結果に基づいて応答情報を特定してもよい。そのような構成によれば、複雑な演算結果を出力させることができる。
【００１４】
タグ制御手段は、選択基準記憶手段を書き換えるための選択基準更新データを含む情報取得要求を受信した場合に、選択基準更新データで選択基準記憶手段の内容を書き換えてもよい。そのような構成によれば、異なる選択符号を持つ複数のＩＣタグリーダに対して、順次選択基準を変更しながら応答させることができる。
【００１５】
本発明によるＩＣタグリーダは、識別情報としてのタグデータと、選択符号に応じた応答動作の基準を表す情報とを記憶するＩＣタグと通信を行うＩＣタグリーダであって、ＩＣタグと無線による通信を行うリーダ通信処理手段と、自身の属性を示す選択符号を記憶する選択符号記憶手段と、選択符号記憶手段が記憶する選択符号を含む情報取得要求を送信するリーダ制御手段とを備えたことを特徴とする。
【００１６】
ＩＣタグに記憶されている応答動作の基準を表す情報を書き換えるための選択基準更新データを記憶する選択基準更新データ記憶手段を備え、リーダ制御手段は、選択基準更新データを含む情報取得要求を送信してもよい。
【００１７】
本発明によるＩＣタグ通信システムは、情報取得要求を送信するＩＣタグリーダと、識別情報としてのタグデータを記憶するタグデータ記憶手段を備え、ＩＣタグリーダからの情報取得要求に応じてタグデータを含む応答情報でＩＣタグリーダに応答するＩＣタグとを含むＩＣタグ通信システムであって、ＩＣタグは、選択符号に応じた応答動作の基準を表す情報を記憶する選択基準記憶手段と、選択基準記憶手段に記憶されている応答動作の基準を表す情報に基づいてＩＣタグリーダに応答する制御を行うタグ制御手段とを備え、ＩＣタグリーダは、ＩＣタグと無線による通信を行うリーダ通信処理手段と、自身の属性を示す選択符号を記憶する選択符号記憶手段と、選択符号記憶手段が記憶する選択符号を含む情報取得要求を送信するリーダ制御手段とを備えたことを特徴とする。
【００１８】
本発明によるＩＣタグ読出方法は、ＩＣタグリーダが情報取得要求を送信し、識別情報としてのタグデータを記憶するＩＣタグから情報取得要求に応じた応答情報を受信するＩＣタグ読出方法であって、ＩＣタグリーダは、自身の属性を示す選択符号を記憶し、選択符号を含む情報取得要求を送信し、ＩＣタグは、選択符号に応じた応答動作の基準を表す情報を記憶し、応答動作の基準を表す情報に基づいて応答する制御を行うことを特徴とする。
【発明の効果】
【００１９】
本発明によれば、無線タグが状況に応じて最適な応答を選択することができるという効果がある。
【発明を実施するための最良の形態】
【００２０】
実施の形態１．
以下、本発明の第１の実施の形態を図面を参照して説明する。図１は、本発明の第１の実施の形態による無線タグ通信システムの構成例を示すブロック図である。図１に示す無線タグ通信システムは、リーダ２と、タグ１とを備える。
【００２１】
リーダ２は、タグ１と無線通信を行う無線タグリーダ装置である。リーダ２は、リーダ制御部２１と、選択符号記憶部２２と、リーダ側送信部２３と、リーダ側受信部２４とを備える。なお、リーダ２は、通信ネットワーク（図示せず。）を介してコンピュータなどの制御装置（図示せず。）と接続され、制御装置とデータの送受信を行うための処理を実行する機能を有する。
【００２２】
タグ１は、無線タグであり、タグデータ記憶部１１と、応答動作の基準を表す情報を記憶する選択基準記憶部１２と、タグ制御部１３と、タグ側送信部１４と、タグ側受信部１５とを備える。
【００２３】
リーダ制御部２１は、選択符号記憶部２２に記憶されている選択符号などの情報を読み出し、リーダ側送信部２３に出力する処理や、リーダ側受信部２４がタグ１から受信した情報を作業用メモリ（図示せず。）に記憶する処理などを実行する機能を有する。
【００２４】
選択符号記憶部２２は、例えば不揮発性メモリなどの記憶媒体であって、選択符号を記憶する機能を有する。選択符号とは、例えば、リーダ２の識別子や属性情報などの情報である。
【００２５】
リーダ側送信部２３は、リーダ制御部２１が出力した選択符号などの情報を変調し、電波に変換して、タグ１に選択符号を含む質問信号として送信する処理などを実行する機能を有する。
【００２６】
リーダ側受信部２４は、タグ１から受信した電波を変換し、復調してリーダ制御部２１に出力する処理などを実行する機能を有する。
【００２７】
タグデータ記憶部１１は、例えば不揮発性メモリなどの記憶媒体であって、タグＩＤなどの情報（タグデータ）を記憶する。タグＩＤとは、タグ１が付される商品などを識別するための識別情報である。
【００２８】
選択基準記憶部１２は、例えば不揮発性メモリなどの記憶媒体である。選択基準記憶部１２は、リーダ２から送信された質問信号に応答するか否かを決めるための選択基準符号として、応答するべきリーダ２の選択符号記憶部２２が記憶する選択符号と同じ符号を予め記憶する。
【００２９】
タグ制御部１３は、タグデータ記憶部１１に記憶されたタグデータを読み出してタグ側送信部１４に出力する処理や、タグ側受信部１５がリーダ２から受信した情報を作業用メモリ（図示せず。）に記憶する処理などを実行する機能を有する。
【００３０】
タグ側送信部１４は、タグ制御部１３が出力したタグデータを変調し、電波に変換して、リーダ２に応答信号として送信する処理などを実行する機能を有する。
【００３１】
タグ側受信部１５は、リーダ２から受信した電波を変換し、復調してタグ制御部１３に出力する処理などを実行する機能を有する。
【００３２】
また、タグ制御部１３は、リーダ２から受信した選択符号と選択基準記憶部１２が記憶する選択基準符号とを比較して、両者が一致する場合にはタグデータ記憶部１１に記憶された情報を出力し、一致しない場合にはエラー情報を出力する機能を有する。
【００３３】
第１の実施の形態において、タグ通信処理手段は、タグ側送信部１４およびタグ側受信部１５によって実現される。タグデータ記憶手段は、タグデータ記憶部１１によって実現される。選択基準記憶手段は、選択基準記憶部１２によって実現される。タグ制御手段は、タグ制御部１３によって実現される。リーダ通信処理手段は、リーダ側送信部２３およびリーダ側受信部２４によって実現される。選択符号記憶手段は、選択符号記憶部２２によって実現される。リーダ制御手段は、リーダ制御部２１によって実現される。
【００３４】
次に、図２、図３、図４および図５を参照して第１の実施の形態の動作について説明する。
【００３５】
図２は、第１の実施の形態におけるリーダ２の動作を示すフローチャートである。リーダ２がタグ１のデータの読み取り処理を開始すると、リーダ制御部２１は、リーダ側送信部２３を介してタグ１に選択符号を含む質問信号（情報取得要求）を送信する（ステップＳ２１）。
【００３６】
ステップ２２において、リーダ制御部２１はタグ１からの応答を待ち（ステップＳ２２）、応答があった場合に、リーダ側受信部２４を介してタグ１からの応答信号を受信し、データを読み取る処理を行い（ステップ２３）、一連の処理を終了する。一方、タグ１からの応答がなかった場合は、処理を終了する。
【００３７】
図３は、第１の実施の形態におけるタグ１の動作を示すフローチャートである。ステップＳ３１において、タグ制御部１３は、タグ側受信部１５を介してリーダ２が送信した質問信号（選択符号通知）を受信すると、質問信号に含まれる選択符号と選択基準記憶部１２が記憶する選択基準符号とを比較する（ステップＳ３２）。
【００３８】
ステップＳ３２において、選択符号と選択基準符号が一致した場合に、タグ制御部１３は、タグデータ記憶部１１に記憶された情報（タグデータ）を出力し、タグ側送信部１４を介してリーダ２にタグデータを応答信号として送信し（ステップＳ３３）、一連の処理を終了する。一方、選択符号と選択基準符号が一致しない場合、タグ制御部１３は、エラー情報を出力し、タグ側送信部１４を介してリーダ２にエラー応答信号を送信し（ステップＳ３４）、一連の処理を終了する。
【００３９】
図４および図５は、第１の実施の形態による無線タグ通信システムの構成と動作の例を示す説明図である。
【００４０】
図４に示す例では、リーダ２の選択符号記憶部２２は、選択符号としてＡを予め記憶しているものとする。また、タグ１の選択基準記憶部１２は、選択基準符号としてＡを予め記憶し、タグデータ記憶部１１は、Ｘを予め記憶しているものとする。すなわち、ここでは選択符号と選択基準符号が一致する場合の動作の例を示す。
【００４１】
リーダ側送信部２３を介して、リーダ制御部２１は、タグ側受信部１５に選択符号Ａを含む質問信号を送信する。これは、ステップＳ２１に対応する処理である。
【００４２】
タグ側受信部１５は、リーダ２が送信した電波を受信すると、電波を変換および復調して、質問信号としてタグ制御部１３に出力する。これは、ステップＳ３１に対応する処理である。
【００４３】
タグ制御部１３は、質問信号に含まれる選択符号Ａと選択基準記憶部１２が記憶する選択基準符号Ａとを比較する。これは、ステップＳ３２に対応する処理である。
【００４４】
選択符号Ａと選択基準符号Ａとが一致するため、タグ制御部１３は、タグデータ記憶部１１に記憶されたタグデータＸを出力し、タグ側送信部１４を介してリーダ２に応答信号を送信する。これは、ステップＳ３３に対応する処理である。
【００４５】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【００４６】
図５に示す例では、リーダ２の選択符号記憶部２２は、選択符号としてＢを予め記憶しているものとする。また、タグ１の選択基準記憶部１２は、選択基準符号としてＡを予め記憶し、タグデータ記憶部１１は、Ｘを予め記憶しているものとする。すなわち、ここでは選択符号と選択基準符号が一致しない場合の動作の例を示す。
【００４７】
リーダ側送信部２３を介して、リーダ制御部２１は、タグ側受信部１５に選択符号Ｂを含む質問信号を送信する。これは、ステップＳ２１に対応する処理である。
【００４８】
タグ側受信部１５は、リーダ２が送信した電波を受信すると、電波を変換および復調して、質問信号としてタグ制御部１３に出力する。これは、ステップＳ３１に対応する処理である。
【００４９】
タグ制御部１３は、質問信号に含まれる選択符号Ｂと選択基準記憶部１２が記憶する選択基準符号Ａとを比較する。これは、ステップＳ３２に対応する処理である。
【００５０】
選択符号Ｂと選択基準符号Ａとが一致しないため、タグ制御部１３は、エラー情報を出力し、タグ側送信部１４を介してリーダ２にエラー応答信号を送信する。これは、ステップＳ３４に対応する処理である。
【００５１】
リーダ側受信部２４は、タグ１から受信した電波を変換し、復調してエラー応答信号としてリーダ制御部２１に出力する。リーダ制御部２１は、エラー応答信号を読み取る処理を行う。これは、ステップＳ２３に対応する処理である。
【００５２】
次に、第１の実施の形態を店舗における商品管理に適用した場合の例を示す。図６は、第１の実施の形態を商品管理に適用した場合のタグ１の動作を示すフローチャートであり、図７および図８は、第１の実施の形態を店舗における商品管理に適用した場合の無線タグ通信システムの構成と動作の例を示す説明図である。例えば、商品に付与されたタグ１が、複数の店舗に設置されたリーダ２に読み取られる場合が想定される。
【００５３】
ステップＳ６１において、タグ制御部１３は、タグ側受信部１５を介してリーダ２が送信した質問信号（選択符号通知）を受信すると、質問信号に含まれる選択符号と選択基準記憶部１２が記憶する選択基準符号とを比較する（ステップＳ６２）。
【００５４】
ステップＳ６２において、選択符号と選択基準符号が一致した場合に、タグ制御部１３は、タグデータ記憶部１１に記憶された情報（商品名）を出力し、タグ側送信部１４を介してリーダ２に応答信号を送信し（ステップＳ６３）、一連の処理を終了する。一方、選択符号と選択基準符号が一致しない場合、タグ制御部１３は、エラー情報を出力し、タグ側送信部１４を介してリーダ２にエラー応答信号を送信し（ステップＳ６４）、一連の処理を終了する。
【００５５】
図７に示す例では、リーダ２の選択符号記憶部２２は、選択符号として店舗ＩＤを示す「Ａ」を予め記憶しているものとする。また、タグ１の選択基準記憶部１２は、選択基準符号として店舗ＩＤを示す「Ａ」を予め記憶し、タグデータ記憶部１１は、商品名を示す「Ｘ」を予め記憶しているものとする。すなわち、ここでは選択符号と選択基準符号が一致する場合の動作の例を示す。
【００５６】
リーダ側送信部２３を介して、リーダ制御部２１は、タグ側受信部１５に選択符号「店舗ＩＤ  Ａ」を含む質問信号を送信する。これは、ステップＳ２１に対応する処理である。
【００５７】
タグ側受信部１５は、リーダ２が送信した電波を受信すると、電波を変換および復調して、質問信号としてタグ制御部１３に出力する。これは、ステップＳ６１に対応する処理である。
【００５８】
タグ制御部１３は、質問信号に含まれる選択符号「店舗ＩＤ  Ａ」と選択基準記憶部１２が記憶する選択基準符号「店舗ＩＤ  Ａ」とを比較する。これは、ステップＳ６２に対応する処理である。
【００５９】
選択符号「店舗ＩＤ  Ａ」と選択基準符号「店舗ＩＤ  Ａ」とが一致するため、タグ制御部１３は、タグデータ記憶部１１に記憶されたタグデータ「商品名  Ｘ」を出力し、タグ側送信部１４を介してリーダ２に応答信号を送信する。これは、ステップＳ６３に対応する処理である。
【００６０】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【００６１】
図８に示す例では、リーダ２の選択符号記憶部２２は、選択符号として「店舗ＩＤ  Ｂ」を予め記憶しているものとする。また、タグ１の選択基準記憶部１２は、選択基準符号として「店舗ＩＤ  Ａ」を予め記憶し、タグデータ記憶部１１は、「商品名  Ｘ」を予め記憶しているものとする。すなわち、ここでは選択符号と選択基準符号が一致しない場合の動作の例を示す。
【００６２】
リーダ側送信部２３を介して、リーダ制御部２１は、タグ側受信部１５に選択符号Ｂを含む質問信号を送信する。これは、ステップＳ２１に対応する処理である。
【００６３】
タグ側受信部１５は、リーダ２が送信した電波を受信すると、電波を変換および復調して、質問信号としてタグ制御部１３に出力する。これは、ステップＳ６１に対応する処理である。
【００６４】
タグ制御部１３は、質問信号に含まれる選択符号「店舗ＩＤ  Ｂ」と選択基準記憶部１２が記憶する選択基準符号「店舗ＩＤ  Ａ」とを比較する。これは、ステップＳ６２に対応する処理である。
【００６５】
選択符号「店舗ＩＤ  Ｂ」と選択基準符号「店舗ＩＤ  Ａ」とが一致しないため、タグ制御部１３は、エラー情報を出力し、タグ側送信部１４を介してリーダ２にエラー応答信号を送信する。これは、ステップＳ６４に対応する処理である。
【００６６】
リーダ側受信部２４は、タグ１から受信した電波を変換し、復調してエラー応答信号としてリーダ制御部２１に出力する。リーダ制御部２１は、エラー応答信号を読み取る処理を行う。これは、ステップＳ２３に対応する処理である。
【００６７】
第１の実施の形態では、選択符号記憶部２２に記憶される選択符号として、Ａが記憶される場合とＢが記憶される場合を例示したが、３種類以上の選択符号が記憶される場合にも適用可能である。また、第１の実施の形態では、選択符号と選択基準符号とを比較して一致するか否かを判定しているが、選択基準符号を複数設定し、選択符号が複数設定したうちの一つに該当するか否かを判定してもよい。
【００６８】
以上に説明したように、第１の実施の形態によれば、例えば各リーダにそれぞれの属性を示す選択符号を記憶させることにより、リーダの属性に応じて、タグにデータを出力するか否かを選択させることが可能となる。
【００６９】
また、リーダが送信した選択符号に基づいて各タグが異なる応答をすることから、リーダは必要な応答のみを得ることができ、不要な情報の読み取り処理を実行しなくてもよい。従って、システム全体において、処理効率を上げることが可能となる。
【００７０】
実施の形態２．
次に、本発明の第２の実施の形態を図面を参照して説明する。図９は、本発明の第２の実施の形態による無線タグ通信システムの構成例を示すブロック図である。第２の実施の形態では、リーダ２が選択符号を含む質問信号を送信した場合に、タグ１は選択符号に対応づけられたタグデータをリーダ２に送信する。
【００７１】
選択基準記憶部１１２は、応答動作の基準を表す情報として、予め選択符号とタグデータアドレスとの対応ルール情報を記憶するとともに、タグ制御部１１３が、質問信号に含まれる選択符号に基づいて対応ルール情報を参照し、タグデータを選択する。タグデータアドレスとは、タグデータの格納場所を示す情報である。なお、第２の実施の形態のその他の構成は、第１の実施の形態と同様なため説明を省略する。
【００７２】
図９に示す例では、選択基準記憶部１１２が記憶する対応ルール情報は、選択符号とタグデータアドレスとの対応づけを含む一覧表として保持される。例えば、ルール１は、選択符号「１」が送信された場合にタグデータアドレス「１」のタグデータを出力し、ルール２は、選択符号「２」が送信された場合にタグデータアドレス「１」および「２」のタグデータを出力することを示している。また、タグデータ記憶部１１は、タグデータアドレス１および２のそれぞれが示す格納場所に、対応するタグデータを記憶する。
【００７３】
次に、図２、図１０、図１１、図１２および図１３を参照して第２の実施の形態の動作について説明する。
【００７４】
図２は、第２の実施の形態によるリーダ２の動作を示すフローチャートである。第２の実施の形態におけるリーダ２の動作は、第１の実施の形態と同様なため説明を省略する。
【００７５】
図１０は、第２の実施の形態によるタグ１の動作を示すフローチャートである。ステップＳ１０１において、タグ制御部１１３は、タグ側受信部１５を介してリーダ２が送信した質問信号（選択符号通知）を受信する。
【００７６】
次に、タグ制御部１１３は、質問信号に含まれる選択符号と、選択基準記憶部１１２が記憶する対応ルール情報に登録されている選択符号とを比較する（ステップＳ１０２）。
【００７７】
ステップＳ１０２において、選択符号が一致する場合に、タグ制御部１１３は、対応するタグデータアドレスを参照してタグデータ記憶部１１を検索し、該当するタグデータを選択する（ステップＳ１０３）。タグ制御部１１３は、選択したタグデータを出力し、タグ側送信部１４を介してリーダ２に応答信号を送信し（ステップＳ１０４）、一連の処理を終了する。
【００７８】
一方、対応ルールを特定できない場合、タグ制御部１１３は、エラー情報を出力し、タグ側送信部１４を介してリーダ２にエラー応答信号を送信し（ステップＳ１０５）、一連の処理を終了する。
【００７９】
図１１、図１２および図１３は、第２の実施の形態による無線タグ通信システムの構成と動作の例を示す説明図である。
【００８０】
図１１に示す例では、リーダ２の選択符号記憶部２２は、選択符号としてＡを予め記憶しているものとする。また、選択基準記憶部１１２は、ルール１として選択符号Ａに対するタグデータアドレス１，２を記憶し、ルール２として選択符号Ｂに対するタグデータアドレス１を記憶する。タグデータ記憶部１１は、タグデータアドレス１に対応するデータとしてＤ１を記憶し、タグデータアドレス２に対応するデータとしてＤ２を予め記憶しているものとする。
【００８１】
リーダ側送信部２３を介して、リーダ制御部２１は、タグ側受信部１５に選択符号Ａを含む質問信号を送信する。これは、ステップＳ２１に対応する処理である。
【００８２】
タグ側受信部１５は、リーダ２が送信した電波を受信すると、電波を変換および復調して、質問信号としてタグ制御部１１３に出力する。これは、ステップＳ１０１に対応する処理である。
【００８３】
タグ制御部１１３は、質問信号に含まれる選択符号Ａと、選択基準記憶部１１２が記憶する対応ルール情報に登録されている選択符号とを比較する。これは、ステップＳ１０２に対応する処理である。
【００８４】
ルール１として選択符号Ａに対応するタグデータアドレス１，２を参照することにより、タグ制御部１１３は、タグデータ記憶部１１に記憶されたタグデータアドレス１に対応するデータＤ１と、タグデータアドレス２に対応するデータＤ２とを出力し、タグ側送信部１４を介してリーダ２に応答信号を送信する。これは、ステップＳ１０３、１０４に対応する処理である。
【００８５】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【００８６】
図１２に示す例では、リーダ２の選択符号記憶部２２は、選択符号としてＢを予め記憶しているものとする。また、選択基準記憶部１１２は、ルール１として選択符号Ａに対するタグデータアドレス１，２を記憶し、ルール２として選択符号Ｂに対するタグデータアドレス１を記憶する。タグデータ記憶部１１は、タグデータアドレス１に対応するデータとしてＤ１を記憶し、タグデータアドレス２に対応するデータとしてＤ２を予め記憶しているものとする。
【００８７】
リーダ側送信部２３を介して、リーダ制御部２１は、タグ側受信部１５に選択符号Ｂを含む質問信号を送信する。これは、ステップＳ２１に対応する処理である。
【００８８】
タグ側受信部１５は、リーダ２が送信した電波を受信すると、電波を変換および復調して、質問信号としてタグ制御部１１３に出力する。これは、ステップＳ１０１に対応する処理である。
【００８９】
タグ制御部１１３は、質問信号に含まれる選択符号Ｂと、選択基準記憶部１１２が記憶する対応ルール情報に登録されている選択符号とを比較する。これは、ステップＳ１０２に対応する処理である。
【００９０】
ルール１として選択符号Ｂに対応するタグデータアドレス１を参照することにより、タグ制御部１１３は、タグデータ記憶部１１に記憶されたタグデータアドレス１に対応するデータＤ１を出力し、タグ側送信部１４を介してリーダ２に応答信号を送信する。これは、ステップＳ１０３、１０４に対応する処理である。
【００９１】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【００９２】
図１３に示す例では、リーダ２の選択符号記憶部２２は、選択符号としてＣを予め記憶しているものとする。また、選択基準記憶部１１２は、ルール１として選択符号Ａに対するタグデータアドレスデータ１，２を記憶し、ルール２として選択符号Ｂに対するタグデータアドレス１を記憶する。タグデータ記憶部１１は、タグデータアドレス１に対応するデータとしてＤ１を記憶し、タグデータアドレス２に対応するデータとしてＤ２を予め記憶しているものとする。
【００９３】
リーダ側送信部２３を介して、リーダ制御部２１は、タグ側受信部１５に選択符号Ｃを含む質問信号を送信する。これは、ステップＳ２１に対応する処理である。
【００９４】
タグ側受信部１５は、リーダ２が送信した電波を受信すると、電波を変換および復調して、質問信号としてタグ制御部１１３に出力する。これは、ステップＳ１０１に対応する処理である。
【００９５】
タグ制御部１１３は、質問信号に含まれる選択符号Ｃと、選択基準記憶部１１２が記憶する対応ルール情報に登録されている選択符号とを比較する。これは、ステップＳ１０２に対応する処理である。
【００９６】
選択符号Ｃに対応するルールを特定できないため、タグ制御部１１３は、エラー情報を出力し、タグ側送信部１４を介してリーダ２にエラー応答信号を送信する。これは、ステップＳ１０５に対応する処理である。
【００９７】
リーダ側受信部２４は、タグ１から受信した電波を変換し、復調してエラー応答信号としてリーダ制御部２１に出力する。リーダ制御部２１は、エラー応答信号を読み取る処理を行う。これは、ステップＳ２３に対応する処理である。
【００９８】
次に、第２の実施の形態を店舗における商品管理に適用した場合の例を示す。図１４および図１５は、第２の実施の形態を店舗における商品管理に適用した場合の無線タグ通信システムの構成と動作の例を示す説明図である。例えば、商品に付与されたタグ１が、店舗Ａおよび店舗Ｂの複数の店舗に設置されたリーダ２に読み取られる場合において、店舗Ａで扱っている商品に付与されるタグ１の情報の一部を、店舗Ｂのリーダ２で読み取られないよう保護することが想定される。
【００９９】
図１４に示す例では、リーダ２の選択符号記憶部２２は、選択符号として店舗ＩＤを示す「Ａ」を予め記憶しているものとする。また、選択基準記憶部１１２は、ルール１として選択符号（店舗ＩＤ）Ａに対するタグデータアドレス１，２を記憶し、ルール２として選択符号Ｂに対するタグデータアドレス１を記憶する。タグデータ記憶部１１は、タグデータアドレス１に対応するデータとして店舗ＩＤを示す「Ａ」を記憶し、タグデータアドレス２に対応するデータとして商品名を示す「Ｘ」を予め記憶しているものとする。
【０１００】
リーダ側送信部２３を介して、リーダ制御部２１は、タグ側受信部１５に選択符号Ａを含む質問信号を送信する。これは、ステップＳ２１に対応する処理である。
【０１０１】
タグ側受信部１５は、リーダ２が送信した電波を受信すると、電波を変換および復調して、質問信号としてタグ制御部１１３に出力する。これは、ステップＳ１０１に対応する処理である。
【０１０２】
タグ制御部１１３は、質問信号に含まれる選択符号Ａと、選択基準記憶部１１２が記憶する対応ルール情報に登録されている選択符号とを比較する。これは、ステップＳ１０２に対応する処理である。
【０１０３】
ルール１として選択符号Ａに対応するタグデータアドレス１，２を参照することにより、タグ制御部１１３は、タグデータ記憶部１１に記憶されたタグデータアドレス１に対応し店舗ＩＤを示す「Ａ」と、タグデータアドレス２に対応し商品名を示す「Ｘ」とを出力し、タグ側送信部１４を介してリーダ２に応答信号を送信する。これは、ステップＳ１０３、１０４に対応する処理である。
【０１０４】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【０１０５】
図１５に示す例では、リーダ２の選択符号記憶部２２は、選択符号として店舗ＩＤを示す「Ｂ」を予め記憶しているものとする。また、選択基準記憶部１１２は、ルール１として選択符号Ａに対するタグデータアドレス１，２を記憶し、ルール２として選択符号Ｂに対するタグデータアドレス１を記憶する。タグデータ記憶部１１は、タグデータアドレス１に対応するデータとして店舗ＩＤを示す「Ａ」を記憶し、タグデータアドレス２に対応するデータとして商品名を示す「Ｘ」を予め記憶しているものとする。
【０１０６】
リーダ側送信部２３を介して、リーダ制御部２１は、タグ側受信部１５に選択符号Ｂを含む質問信号を送信する。これは、ステップＳ２１に対応する処理である。
【０１０７】
タグ側受信部１５は、リーダ２が送信した電波を受信すると、電波を変換および復調して、質問信号としてタグ制御部１１３に出力する。これは、ステップＳ１０１に対応する処理である。
【０１０８】
タグ制御部１１３は、質問信号に含まれる選択符号Ｂと、選択基準記憶部１１２が記憶する対応ルール情報に登録されている選択符号とを比較する。これは、ステップＳ１０２に対応する処理である。
【０１０９】
ルール１として選択符号Ｂに対応するタグデータアドレス１を参照することにより、タグ制御部１１３は、タグデータ記憶部１１に記憶されたタグデータアドレス１に対応し店舗ＩＤを示す「Ａ」を出力し、タグ側送信部１４を介してリーダ２に応答信号を送信する。これは、ステップＳ１０３、１０４に対応する処理である。
【０１１０】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【０１１１】
第２の実施の形態では、第１の実施の形態と同様に、選択符号記憶部２２に記憶される選択符号として、Ａが記憶される場合とＢが記憶される場合を例示したが、３種類以上の選択符号が記憶される場合にも適用可能である。また、質問信号に含まれる選択符号と対応ルール情報に登録されている選択符号を比較して、一致する場合に対応ルールを特定しているが、一致しない場合を特定するようにしてもよい。また、タグ制御部１３に演算処理装置を内蔵させることにより、演算処理結果に基づいて比較を行うこともできる。例えば、質問信号に含まれる選択符号が、対応ルール情報に登録されている選択符号より大きい場合に、対応ルールを特定するようにしてもよい。
【０１１２】
以上に説明したように、第２の実施の形態によれば、第１の実施の形態による効果に加えて、状況に応じてデータを送付するか否かを選択することができるだけではなく、異なるデータを送付することを選択することができる。例えば、店舗において商品に付随されたタグ１に、ＩＤ、店舗名および商品名を記憶させる場合を例示する。購入前に通信を行うリーダ２に対しては、タグ１はＩＤ、店舗名および商品名を送信するが、購入後に通信を行うリーダ２に対しては、タグ１はＩＤのみを送信する、などのプライバシ保護に利用することができる。
【０１１３】
実施の形態３．
次に、本発明の第３の実施の形態を図面を参照して説明する。図１６は、本発明の第３の実施の形態による無線タグ通信システムの構成例を示すブロック図である。第３の実施の形態では、タグ１の選択基準記憶部２１２が、選択符号に応じた応答情報を特定するためのルールとして、選択符号およびタグデータの値を引数として応答データを決定する応答決定関数、すなわち応答決定プログラムを記憶する。なお、応答データとは、タグ１がリーダ２から受信した質問信号に対する応答信号に含まれる情報である。また、選択基準記憶部２１２は、応答決定関数の引数となる選択基準データを記憶する。タグ制御部２１３は、選択基準記憶部２１２に記憶された応答決定関数の記述を解釈し、リーダ２によって送信された選択符号と、選択基準データおよびタグデータを入力して応答データを出力する。なお、第３の実施の形態のその他の構成は、第１の実施の形態と同様なため説明を省略する。
【０１１４】
次に、図２、図１７を参照して第３の実施の形態の動作について説明する。
【０１１５】
図２は、第２の実施の形態によるリーダ２の動作を示すフローチャートである。第３の実施の形態におけるリーダ２の動作は、第１の実施の形態と同様なため説明を省略する。
【０１１６】
図１７は、第３の実施の形態によるタグ１の動作を示すフローチャートである。ステップＳ１７１において、タグ制御部２１３は、タグ側受信部１５を介してリーダ２が送信した質問信号（選択符号通知）を受信する。
【０１１７】
次にタグ制御部２１３は、選択基準記憶部２１２に記憶された応答決定関数に、選択符号選択基準データおよびタグデータを入力して、演算を実行する（ステップＳ１７２）。
【０１１８】
タグ制御部２１３は、演算結果を出力し、タグ側送信部１４を介してリーダ２に応答信号を送信し（ステップＳ１７３）、一連の処理を終了する。
【０１１９】
図１８は、第３の実施の形態による無線タグ通信システムの構成と動作の例を示す説明図である。図１８に示す例では、リーダ２の選択符号記憶部２２は、選択符号として１０を予め記憶しているものとする。また、選択基準記憶部２１２は、応答関数ｆとして「受信した選択符号が選択基準データより大きい場合は、タグデータ記憶部１１のデータ１とデータ２を乗算して出力し、それ以外の場合は、タグデータ記憶部１１のデータ１を出力する」という関数が記憶されているものとし、選択基準データには「５」が記憶されている。タグデータ記憶部１１は、データ１として「３００」を記憶し、データ２として「１．０５」を記憶しているものとする。
【０１２０】
リーダ側送信部２３を介して、リーダ制御部２１は、タグ側受信部１５に選択符号「１０」を含む質問信号を送信する。これは、ステップＳ２１に対応する処理である。
【０１２１】
タグ側受信部１５は、リーダ２が送信した電波を受信すると、電波を変換および復調して、質問信号としてタグ制御部２１３に出力する。これは、ステップＳ１７１に対応する処理である。
【０１２２】
タグ制御部２１３は、応答決定関数ｆを実行する。ここでは、選択符号「１０」が選択基準データ「５」より大きいため、「データ１×データ２」すなわち「３００×１．０５」を演算し、結果として「３１５」を得る。これは、ステップＳ１７２に対応する処理である。
【０１２３】
タグ制御部２１３は、応答決定関数ｆの演算結果である「３１５」を出力し、タグ側送信部１４を介してリーダ２に応答信号を送信する。これは、ステップＳ１７３に対応する処理である。
【０１２４】
リーダ側受信部２４は、タグ１から受信した電波を変換し、復調して応答信号としてリーダ制御部２１に出力する。リーダ制御部２１は、応答信号を読み取る処理を行う。これは、ステップＳ２３に対応する処理である。
【０１２５】
なお、第３の実施の形態では、選択基準データとして「５」が記憶される場合を例示したが、複数の選択基準データが記憶される場合にも適用可能である。
【０１２６】
以上に説明したように、第３の実施の形態によれば、第１の実施の形態および第２の実施の形態による効果に加えて、状況に応じてより複雑な演算結果を出力させることが可能となる。
【０１２７】
実施の形態４．
次に、本発明の第４の実施の形態を図面を参照して説明する。図１９は、本発明の第４の実施の形態による無線タグ通信システムの構成例を示すブロック図である。第４の実施の形態では、リーダ２が選択基準更新データ記憶部２５を備える。リーダ制御部３２１は、リーダ側送信部２３を介して、タグ１の選択基準記憶部３１２を選択基準更新データ記憶部２５のデータで書き換えるよう指示する機能を有する。タグ１は、書き換え可能な選択基準記憶部３１２を備え、タグ制御部３１３はリーダ２によって送信された選択基準更新データ記憶部２５のデータで選択基準記憶部３１２を書き換える機能を有する。なお、第４の実施の形態のその他の構成は、第１の実施の形態と同様なため説明を省略する。
【０１２８】
次に、図２０および図２１を参照して第４の実施の形態の動作について説明する。図２０および図２１は、第４の実施の形態による無線タグ通信システムの構成と動作の例を示す説明図である。図２０，２１は、リーダ２０１とリーダ２０２が、１台のタグ１と通信を行う場合を示している。
【０１２９】
図２０に示す例では、リーダ２０１は、選択符号記憶部２２に選択符号「Ａ」を記憶し、選択基準更新データ記憶部２５にデータを記憶していない。リーダ２０２は、選択符号記憶部２２に選択符号「Ｂ」を記憶し、選択基準更新データ記憶部２５に更新データ「Ｂ」を記憶する。また、タグ１は、タグデータ記憶部１１にタグデータ「Ｄ」を記憶し、選択基準記憶部３１２にタグデータ「Ａ］を記憶するものとする。
【０１３０】
リーダ２０１がタグ１の読み取りを開始すると、リーダ２０１はタグ１に選択符号Ａを含む質問信号を送信する（ステップＳ２００１）。
【０１３１】
タグ１は、質問信号に含まれる選択信号「Ａ」と、選択基準記憶部３１２が記憶する選択基準符号「Ａ」とを比較し、一致するため、タグデータ記憶部１１に記憶されたタグデータ「Ｄ」を出力し、リーダ２に送信する（ステップＳ２００２）。
【０１３２】
次に、リーダ２０２がタグ１の読み取りを開始すると、リーダ２０２はタグ１に選択符号「Ｂ」を含む質問信号を送信する（ステップＳ２００３）。
【０１３３】
タグ１は、質問信号に含まれる選択信号「Ｂ」と、選択基準記憶部３１２が記憶する選択基準符号「Ａ」とを比較し、一致しないため、エラー応答信号をリーダ２に送信する（ステップＳ２００４）。
【０１３４】
図２１に示す例では、リーダ２０１は、選択基準更新データ記憶部２５に更新データ「Ｂ」を記憶する。図２１に示すその他の構成は、図２０に示す構成と同様なため説明を省略する。
【０１３５】
リーダ２０１がタグ１の読み取りを開始すると、リーダ２０１はタグ１に選択符号「Ａ」および更新データ「Ｂ」を含む質問信号を送信する（ステップＳ２１０１）。
【０１３６】
タグ１は、質問信号に含まれる選択信号「Ａ」と、選択基準記憶部３１２が記憶する選択基準符号「Ａ」とを比較し、一致するため、タグデータ記憶部１１に記憶されたタグデータ「Ｄ」を出力し、リーダ２０１に送信する（ステップＳ２１０２）。
【０１３７】
さらに、タグ制御部３１３は、質問信号に含まれる更新データ「Ｂ］に基づいて、タグ１の選択基準記憶部３１２に記憶されているデータを「Ａ」から「Ｂ」に書き換える（ステップＳ２１０３）。
【０１３８】
次に、リーダ２０２がタグ１の読み取りを開始すると、リーダ２０２はタグ１に選択符号「Ｂ」を含む質問信号を送信する（ステップＳ２１０４）。
【０１３９】
タグ１は、質問信号に含まれる選択信号「Ｂ」と、選択基準記憶部３１２が記憶する選択基準符号「Ｂ」とを比較し、一致するため、タグデータ記憶部１１に記憶されたタグデータ「Ｄ」を出力し、リーダ２に送信する（ステップＳ２１０５）。
【０１４０】
次に、第４の実施の形態を商品の経路追跡に適用した場合の例を示す。図２２は、本発明の第４の実施の形態を商品の経路追跡に適用した場合の無線タグ通信システムの構成例を示すブロック図である。リーダ２は、選択基準更新データ記憶部２５に更新データ「次位リーダＩＤ」を記憶する。図２２に示すその他の構成は、図１９に示す構成と同様なため説明を省略する。
【０１４１】
図２３は、タグ１が決められた経路に従って各リーダの前を移動する例を示す説明図である。タグ１は、リーダ３０１，リーダ３０２、リーダ３０３の順に移動する。
【０１４２】
図２４は、第４の実施の形態を商品の経路追跡に適用した場合の無線タグ通信システムの構成と動作の例を示す説明図である。
【０１４３】
図２４に示す例では、リーダ３０１は、選択符号記憶部２２に選択符号「Ａ」を記憶し、選択基準更新データ記憶部２５にタグ１の移動経路に応じて更新データ「Ｂ」または「Ｃ」を記憶する。リーダ３０２は、選択符号記憶部２２に選択符号「Ａ」を記憶し、選択基準更新データ記憶部２５に更新データ「Ｃ」を記憶する。リーダ３０２は、選択符号記憶部２２に選択符号「Ａ」を記憶し、選択基準更新データ記憶部２５に更新データ「Ｃ」を記憶する。リーダ３０３は、選択符号記憶部２２に選択符号「Ａ」を記憶し、選択基準更新データ記憶部２５に更新データ「Ｂ」を記憶する。また、タグ１は、タグデータ記憶部１１にタグデータ「Ａ」を記憶し、選択基準記憶部３１２にデータ「Ａ］を記憶するものとする。
【０１４４】
まず、タグ１の移動経路が、リーダ３０１，３０２，３０３の順である場合を例示すると、リーダ３０１は選択基準更新データ記憶部２５に更新データ「Ｂ」を記憶する。リーダ３０１がタグ１の読み取りを開始すると、リーダ３０１はタグ１に選択符号「Ａ」および更新データ「Ｂ」を含む質問信号を送信する（ステップＳ２４０１）。
【０１４５】
タグ１は、質問信号に含まれる選択信号「Ａ」と、選択基準記憶部３１２が記憶する選択基準符号「Ａ」とを比較し、一致するため、タグデータ記憶部１１に記憶されたタグデータ「Ａ」を出力し、リーダ３０１に送信する（ステップＳ２４０２）。
【０１４６】
さらに、タグ制御部３１３は、質問信号に含まれる更新データ「Ｂ］に基づいて、タグ１の選択基準記憶部３１２に記憶されているデータを「Ａ」から「Ｂ」に書き換える（ステップＳ２４０３）。
【０１４７】
次に、リーダ３０２がタグ１の読み取りを開始すると、リーダ３０２はタグ１に選択符号「Ｂ」および更新データ「Ｃ」を含む質問信号を送信する（ステップＳ２１０４）。
【０１４８】
タグ１は、質問信号に含まれる選択信号「Ｂ」と、選択基準記憶部３１２が記憶する選択基準符号「Ｂ」とを比較し、一致するため、タグデータ記憶部１１に記憶されたタグデータ「Ａ」を出力し、リーダ３０２に送信する（ステップＳ２４０５）。
【０１４９】
タグ制御部３１３は、質問信号に含まれる更新データ「Ｃ］に基づいて、タグ１の選択基準記憶部３１２に記憶されているデータを「Ｂ」から「Ｃ」に書き換える（ステップＳ２４０６）。
【０１５０】
次に、リーダ３０３がタグ１の読み取りを開始すると、リーダ３０３はタグ１に選択符号「Ｃ」および更新データ「Ｂ」を含む質問信号を送信する（ステップＳ２４０７）。
【０１５１】
タグ１は、質問信号に含まれる選択信号「Ｃ」と、選択基準記憶部３１２が記憶する選択基準符号「Ｃ」とを比較し、一致するため、タグデータ記憶部１１に記憶されたタグデータ「Ａ」を出力し、リーダ３０３に送信する（ステップＳ２４０８）。
【０１５２】
次に、タグ１の移動経路が、リーダ３０１，３０３，３０２の順である場合を例示すると、リーダ３０１は選択基準更新データ記憶部２５に更新データ「Ｃ」を記憶する。リーダ３０１がタグ１の読み取りを開始すると、リーダ３０１はタグ１に選択符号「Ａ」および更新データ「Ｃ」を含む質問信号を送信する（ステップＳ２４０１）。
【０１５３】
タグ１は、質問信号に含まれる選択信号「Ａ」と、選択基準記憶部３１２が記憶する選択基準符号「Ａ」とを比較し、一致するため、タグデータ記憶部１１に記憶されたタグデータ「Ａ」を出力し、リーダ３０１に送信する（ステップＳ２４０２）。
【０１５４】
さらに、タグ制御部３１３は、質問信号に含まれる更新データ「Ｃ］に基づいて、タグ１の選択基準記憶部３１２に記憶されているデータを「Ａ」から「Ｃ」に書き換える（ステップＳ２４０９）。
【０１５５】
次に、リーダ３０３でなはく、リーダ３０２がタグ１の読み取りを開始すると、リーダ３０２はタグ１に選択符号「Ｂ」および更新データ「Ｃ」を含む質問信号を送信する（ステップＳ２４１０）。
【０１５６】
タグ１は、質問信号に含まれる選択信号「Ｂ」と、選択基準記憶部３１２が記憶する選択基準符号「Ｃ」とを比較し、一致しないため、エラー応答信号をリーダ３０２に送信する（ステップＳ２４１１）。従って、タグ１が設定した経路と異なる経路を使用していたことがわかる。
【０１５７】
次に、リーダ３０３がタグ１の読み取りを開始すると、リーダ３０３はタグ１に選択符号「Ｃ」および更新データ「Ｂ」を含む質問信号を送信する（ステップＳ２４０７）。
【０１５８】
タグ１は、質問信号に含まれる選択信号「Ｃ」と、選択基準記憶部３１２が記憶する選択基準符号「Ｃ」とを比較し、一致するため、タグデータ記憶部１１に記憶されたタグデータ「Ａ」を出力し、リーダ３０３に送信する（ステップＳ２４０８）。
【０１５９】
第４の実施の形態では、選択基準更新データ記憶手段は、選択基準更新データ記憶部２５によって実現される。
【０１６０】
なお、第４の実施の形態では、一つの選択基準符号と選択符号とを比較することにより応答動作を決定しているが、応答動作の決定は、第２および第３の実施の形態の手法を用いてもよい。
【０１６１】
以上に説明したように、第４の実施の形態によれば、タグは、異なる選択符号を持つ複数のリーダに対して、順次選択基準を変更しながら応答することができる。例えば、ネットワークに接続できない環境にある倉庫などにおいて、商品の移動経路にある複数のゲートにそれぞれ異なる選択符号を持つリーダが設置され、タグはリーダを経由するごとに選択基準を変更される場合を想定する。タグは、ある時点において、例えば一つのリーダにのみ応答可能であるため、エラーとなる場合は移動経路の誤りであると判断することができる。
【０１６２】
また、タグが記憶する選択基準符号がリーダによって送信された選択符号と一致しない場合に、タグがエラー応答を返すことにより、上位のアプリケーションとの通信を行うことなく異常を検出することができる。また、上位のアプリケーションによらずに経路誤り等の検出を行うことができるため、アプリケーションに処理が集中せず、負荷の分散を図ることが可能である。
【０１６３】
なお、上記の第１，２，３，４の実施の形態では、リーダが選択符号を含む質問信号を送信しているが、質問信号の送信前に選択符号のみを送信してもよい。また、上記の第１，２，３，４の実施の形態では、リーダがタグに選択符号を通知しない場合にタグは応答を行わないが、エラー応答を行ってもよい。また、エラー応答を行っている部分は、タグが応答を行わないことにしてもよい。
【産業上の利用可能性】
【０１６４】
本発明は、情報保護の観点などから、無線タグが状況に応じて異なる応答をする必要がある場合に効果的に適用できる。
【図面の簡単な説明】
【０１６５】
【図１】本発明の第１の実施の形態による無線タグ通信システムの構成例を示すブロック図である。
【図２】本発明の第１の実施の形態によるリーダ２の動作を示すフローチャートである。
【図３】本発明の第１の実施の形態によるタグ１の動作を示すフローチャートである。
【図４】本発明の第１の実施の形態による無線タグ通信システムの構成と動作の例を示す説明図である。
【図５】本発明の第１の実施の形態による無線タグ通信システムの構成と動作の例を示す説明図である。
【図６】本発明の第１の実施の形態を商品管理に適用した場合のタグ１の動作を示すフローチャートである。
【図７】本発明の第１の実施の形態を店舗における商品管理に適用した場合の無線タグ通信システムの構成と動作の例を示す説明図である。
【図８】本発明の第１の実施の形態を店舗における商品管理に適用した場合の無線タグ通信システムの構成と動作の例を示す説明図である。
【図９】本発明の第２の実施の形態による無線タグ通信システムの構成例を示すブロック図である。
【図１０】本発明の第２の実施の形態によるタグ１の動作を示すフローチャートである。
【図１１】本発明の第２の実施の形態による無線タグ通信システムの構成と動作の例を示す説明図である。
【図１２】本発明の第２の実施の形態による無線タグ通信システムの構成と動作の例を示す説明図である。
【図１３】本発明の第２の実施の形態による無線タグ通信システムの構成と動作の例を示す説明図である。
【図１４】本発明の第２の実施の形態を店舗における商品管理に適用した場合の無線タグ通信システムの構成と動作の例を示す説明図である。
【図１５】本発明の第２の実施の形態を店舗における商品管理に適用した場合の無線タグ通信システムの構成と動作の例を示す説明図である。
【図１６】本発明の第３の実施の形態による無線タグ通信システムの構成例を示すブロック図である。
【図１７】本発明の第３の実施の形態によるタグ１の動作を示すフローチャートである。
【図１８】本発明の第３の実施の形態による無線タグ通信システムの構成と動作の例を示す説明図である。
【図１９】本発明の第４の実施の形態による無線タグ通信システムの構成例を示すブロック図である。
【図２０】本発明の第４の実施の形態による無線タグ通信システムの構成と動作の例を示す説明図である。
【図２１】本発明の第４の実施の形態による無線タグ通信システムの構成と動作の例を示す説明図である。
【図２２】本発明の第４の実施の形態を商品の経路追跡に適用した場合の無線タグ通信システムの構成例を示すブロック図である。
【図２３】タグ１が決められた経路に従って各リーダの前を移動する例を示す説明図である。
【図２４】本発明の第４の実施の形態を商品の経路追跡に適用した場合の無線タグ通信システムの構成と動作の例を示す説明図である。
【符号の説明】
【０１６６】
１    タグ
２    リーダ
１１    タグデータ記憶部
１２    選択基準記憶部
１３    タグ制御部
１４    タグ側送信部
１５    タグ側受信部
２１    リーダ制御部
２２    選択符号記憶部
２３    リーダ側送信部
２４    リーダ側受信部
【図１】
2006195897.tif 000003
【図２】
2006195897.tif 000004
【図３】
2006195897.tif 000005
【図４】
2006195897.tif 000006
【図５】
2006195897.tif 000007
【図６】
2006195897.tif 000008
【図７】
2006195897.tif 000009
【図８】
2006195897.tif 000010
【図９】
2006195897.tif 000011
【図１０】
2006195897.tif 000012
【図１１】
2006195897.tif 000013
【図１２】
2006195897.tif 000014
【図１３】
2006195897.tif 000015
【図１４】
2006195897.tif 000016
【図１５】
2006195897.tif 000017
【図１６】
2006195897.tif 000018
【図１７】
2006195897.tif 000019
【図１８】
2006195897.tif 000020
【図１９】
2006195897.tif 000021
【図２０】
2006195897.tif 000022
【図２１】
2006195897.tif 000023
【図２２】
2006195897.tif 000024
【図２３】
2006195897.tif 000025
【図２４】
2006195897.tif 000026